(57)【要約】【課題】ＡＰとの間で実際に通信を行う無線端末を用いて、容易にサイトサーベイを行うことのできる技術を提供すること。【解決手段】無線端末から特定の電話番号が入力された際に、ＡＰ１１０のＳＳ用音発生部１３４で特定の周波数のサイトサーベイ音を生成し、無線部１２０を介して、ＡＰ１１０から無線端末にサイトサーベイ音を送信する。【選択図】図２
2008219079.tif 000002
【特許請求の範囲】
【請求項１】
無線端末及び無線中継装置を備える通信システムであって、
前記無線中継装置は、サイトサーベイ用のサイトサーベイ音を生成して前記無線端末に送信すること、
を特徴とする通信システム。
【請求項２】
請求項１に記載の通信システムであって、
前記無線中継装置は、前記無線端末から特定の識別情報が送信されてきた場合に、前記無線端末に前記サイトサーベイ音を送信すること、
を特徴とする通信システム。
【請求項３】
無線端末及び複数の無線中継装置を備える通信システムであって、
前記無線中継装置は、サイトサーベイ用のサイトサーベイ音を生成して前記無線端末に送信するものであり、
通信エリアの重なる一の無線中継装置及び他の無線中継装置は、それぞれ異なるサイトサーベイ音を生成して前記無線端末に送信するものであること、
を特徴とする通信システム。
【請求項４】
無線端末での通信を中継する無線中継装置であって、
サイトサーベイ用のサイトサーベイ音を生成して前記無線端末に送信すること、
を特徴とする無線中継装置。
【請求項５】
請求項４に記載の無線中継装置であって、
前記無線端末から特定の識別情報が送信されてきた場合に、前記無線端末に前記サイトサーベイ音を送信すること、
を特徴とする無線中継装置。
【請求項６】
請求項４に記載の無線中継装置であって、
通信エリアの重なる他の無線中継装置が送信するサイトサーベイ音とは異なるサイトサーベイ音を生成して前記無線端末に送信すること、
を特徴とする無線中継装置。
【請求項７】
無線端末及び無線中継装置を備える通信システムにおけるサイトサーベイ方法であって、
前記無線中継装置が、サイトサーベイ用のサイトサーベイ音を生成して前記無線端末に送信するサイトサーベイ音送信過程と、
前記無線端末が、前記サイトサーベイ音を再生するサイトサーベイ音再生過程と、
を備えることを特徴とするサイトサーベイ方法。
【請求項８】
請求項７に記載のサイトサーベイ方法であって、
前記サイトサーベイ音送信過程は、前記無線中継装置が、前記無線端末から特定の識別情報が送信されてきた場合に、前記無線端末に前記サイトサーベイ音を送信するものであること、
を特徴とするサイトサーベイ方法。
【請求項９】
無線端末及び複数の無線中継装置を備える通信システムにおけるサイトサーベイ方法であって、
前記一の無線中継装置が、サイトサーベイ用の第一のサイトサーベイ音を生成して前記無線端末に送信する第一のサイトサーベイ音送信過程と、
前記一の無線中継装置の通信エリアに重なる他の無線中継装置が、前記第一のサイトサーベイ音とは異なる第二のサイトサーベイ音を生成して前記無線端末に送信する第二のサイトサーベイ音送信過程と、
前記無線端末が、前記第一のサイトサーベイ音又は前記第二のサイトサーベイ音を再生する過程と、
を備えることを特徴とするサイトサーベイ方法。
【発明の詳細な説明】
【技術分野】
【０００１】
本発明は、無線端末及び無線中継装置を備える通信システムにおいてサイトサーベイを行う技術に関する。
【背景技術】
【０００２】
無線端末を使用する領域内で快適に使用するためには、無線端末の使用領域内に無線信号と有線信号とを中継する無線中継装置、すなわち、アクセスポイント（以下、ＡＰ）を効率的に配置する必要がある。
【０００３】
そして、ＡＰを配置する際には、無線端末の使用領域内でＡＰからの電波の状態を検査するサイトサーベイが行われている。
【０００４】
サイトサーベイでは、無線端末の使用領域内に必要十分な電力の電波が届くか否か、無線端末の使用頻度の高い位置でハンドオーバが生じないか否か、等が検査される。
【０００５】
従来のサイトサーベイは、特許文献１に記載されているように、ＡＰから送出される電波の電界強度を検出するようにしている。
【０００６】
【特許文献１】特開２００６−１２５９５１号公報
【発明の開示】
【発明が解決しようとする課題】
【０００７】
従来のサイトサーベイでは、ＡＰから送出される電波の電界強度を検出するようにしているが、無線端末における通話品質は、電波の電界強度だけで判断することできるわけではなく、実際に使用する無線端末の仕様や、ＡＰと無線端末との間の障害物の状況などにより、無線端末の通話品質は変化する。
【０００８】
そこで、本発明は、ＡＰとの間で実際に通信を行う無線端末を用いて、容易にサイトサーベイを行うことのできる技術を提供することを目的とする。
【課題を解決するための手段】
【０００９】
以上の課題を解決するため、本発明は、ＡＰにおいてサイトサーベイ用の音を生成して無線端末に送信する。
【００１０】
例えば、本発明は、無線端末及び無線中継装置を備える通信システムであって、前記無線中継装置は、サイトサーベイ用のサイトサーベイ音を生成して前記無線端末に送信すること、を特徴とする。
【発明の効果】
【００１１】
以上のように、本発明によれば、ＡＰにおいてサイトサーベイ用の音を生成して無線端末に送信するため、実際に使用する無線端末を用いて容易にサイトサーベイを行うことができる。
【発明を実施するための最良の形態】
【００１２】
図１は、本発明の第一の実施形態である通信システム１００の概略図である。
【００１３】
図示するように、通信システム１００は、無線中継装置であるＡＰ１１０と、無線端末１７０と、を備える。
【００１４】
図２は、ＡＰ１１０の概略図である。
【００１５】
図示するように、ＡＰ１１０は、無線部１２０と、制御部１３０と、記憶部１５０と、有線部１６０と、を備えている。
【００１６】
無線部１２０は、アンテナ１２１を介して送受信を行う無線信号を処理する。
【００１７】
具体的には、アンテナ１２１を介して送受信を行う無線信号の変調及び復調処理を行うＲＦ（Radio Frequency）処理、ベースバンド信号の変調及び復調を行うベースバンド信号処理、物理層の上位のデータリンク層においてフレームの送受信方法やフレームの形式及び誤り検出方法等を規定するＭＡＣ（Media Access Control）プロトコルに従ったＭＡＣ処理、を行う。
【００１８】
制御部１３０は、通信処理部１３１と、番号検査部１３２と、ＳＩＰ（Session Initiation Protocol）制御部１３３と、サイトサーベイ用音発生部（以下、ＳＳ用音発生部）１３４と、パケット化部１３５と、を備える。
【００１９】
通信処理部１３１は、ＡＰ１１０全体の処理を制御する。
【００２０】
特に、本実施形態においては、無線端末１７０から無線部１２０を介して受信したＩＰ（Internet Protocol）パケットに含まれている識別情報を抽出し、後述する番号検査部１３２に出力する。
【００２１】
例えば、通信システム１００が、ＳＩＰによる呼制御を行っている場合には、通信処理部１３１は、無線部１２０を介して受信したＩＰパケットにＳＩＰのＲＥＧＩＳＴＥＲメッセージが格納されているときには、そのＩＰパケットに含まれている識別情報（例えば、宛先ＩＰアドレス、送信元ＩＰアドレス、発呼元電話番号等）を抽出して、番号検査部１３２に出力する。
【００２２】
また、通信処理部１３１は、無線部１２０を介して受信したＩＰパケットにＳＩＰのＩＮＶＩＴＥメッセージが格納されている場合には、そのＩＰパケットに含まれている宛先の電話番号を抽出して、番号検査部１３２に出力する。
【００２３】
番号検査部１３２は、通信処理部１３１より入力された識別情報に一致する情報が、後述する記憶部１５０に記憶されている識別情報記憶領域１５１に記憶されているか否かを特定し、記憶されている場合には、後述するＳＩＰ制御部１３３での処理を行う。
【００２４】
なお、通信処理部１３１より入力された識別情報に一致する情報が、識別情報記憶領域１５１に記憶されていない場合には、通信処理部１３１に通知し、通信処理部１３１は、公知のアクセスポイントが行う無線ＬＡＮと、有線ＬＡＮと、の間の接続処理を行う。
【００２５】
ＳＩＰ制御部１３３は、番号検査部１３２において、通信処理部１３１より入力された識別情報に一致する情報が、識別情報記憶領域１５１に記憶されていると判断された場合には、ＳＩＰサーバと同様の呼制御処理（応答処理）を行う。
【００２６】
例えば、無線部１２０を介して受信したＩＰパケットがＲＥＧＩＳＴＥＲメッセージである場合には、リクエスト成功の応答メッセージである２００ＯＫをリクエストの送信元である無線端末１７０に無線部１２０を介して送信する。
【００２７】
また、無線部１２０を介して受信したＩＰパケットがＩＮＶＩＴＥメッセージである場合には、リクエスト受信処理中であることを示す１００ＴＲＹＩＮＧメッセージや、１８０ＲＩＮＧＩＮＧメッセージ等をリクエストの送信元である無線端末１７０に無線部１２０を介して送信する。
【００２８】
なお、ＳＩＰ制御部１３３は、無線端末１７０より受信したリクエストにエラーがある場合等にも、４００ＢａｄＲｅｑｕｅｓｔメッセージ等のエラーメッセージをリクエストの送信元である無線端末１７０に無線部１２０を介して送信する。
【００２９】
さらに、ＳＩＰ制御部１３３は、無線部１２０を介して受信したＩＰパケットがＩＮＶＩＴＥメッセージであり、かつ、このＩＰパケットに含まれている識別情報が識別情報記憶領域１５１に記憶されている場合には、無線端末１７０への呼び出し音として、後述するＳＳ用音発生部１３４で生成されたサイトサーベイ用の音（サイトサーベイ音）を無線端末１７０に無線部１２０を介して送信する。
【００３０】
ＳＳ用音発生部１３４は、サイトサーベイ音を生成する。
【００３１】
サイトサーベイ音は、可聴帯域の周波数の音であれば任意の音を選択可能であるが、本実施形態においては、無線端末１７０でＡＰ１１０からの電波状態を確認するのに好適な一定の周波数の可聴音を生成する。
【００３２】
なお、ＳＳ用音発生部１３４は、予め記憶されている一定の周波数の可聴音を繰り返し再生することで実現可能である。
【００３３】
パケット化部１３５は、ＳＳ用音発生部１３４で生成したサイトサーベイ音を特定の長さにブロック化し、ＵＤＰ（User Datagram Protocol）／ＩＰに従ったパケットヘッダや誤り検出用のパリティビットなどを付加して、無線端末１７０に送信するＩＰパケットを生成する。
【００３４】
記憶部１５０は、識別情報記憶領域１５１を有している。
【００３５】
識別情報記憶領域１５１には、ＡＰ１１０から無線端末１７０にサイトサーベイ音を送信するための識別情報が記憶される。
【００３６】
ここで、本実施形態においては、識別情報記憶領域１５１には、無線端末１７０から送信されるメッセージに応じて、それぞれ異なる識別情報が記憶されている。
【００３７】
例えば、無線端末１７０から送信されるメッセージが、ＲＥＧＩＳＴＥＲメッセージである場合においては、識別情報として、特定の宛先ＩＰアドレス、送信元ＩＰアドレス、または、送信元の電話番号を予め定めておき、予め定めておいた識別情報を識別情報記憶領域１５１に記憶しておく。
【００３８】
また、無線端末１７０から送信されるメッセージが、ＩＮＶＩＴＥメッセージである場合には、識別情報として、宛先である電話番号が予め定められており、予め定められた特定の電話番号（特番）を識別情報記憶領域１５１に記憶しておく。
【００３９】
有線部１６０は、有線ＬＡＮを介して情報の送受信を行うためのインターフェースである。
【００４０】
図３は、無線端末１７０の概略図である。
【００４１】
図示するように、無線端末１７０は、無線部１７１と、制御部１７２と、記憶部１７５と、入力部１７６と、出力部１７７と、を備えている。
【００４２】
無線部１７１は、アンテナ１７８を介して送受信する無線信号の処理を行う。
【００４３】
具体的には、アンテナ１７８を介して送受信を行う無線信号の変調及び復調処理を行うＲＦ処理、ベースバンド信号の変調及び復調を行うベースバンド信号処理、物理層の上位のデータリンク層においてフレームの送受信方法やフレームの形式及び誤り検出方法等を規定するＭＡＣプロトコルに従ったＭＡＣ処理、を行う。
【００４４】
制御部１７２は、通信処理部１７３と、アプリケーション処理部１７４と、を備える。
【００４５】
通信処理部１７３は、無線端末１７０の全体的な処理を制御する。特に、本実施形態においては、アプリケーション処理部１７４で生成されたデータやアプリケーション処理部１７４で使用するデータを、無線部１７１を介して送受信する処理を制御する。
【００４６】
アプリケーション処理部１７４は、無線部１７１を介して送受信するデータを処理する。特に、本実施形態においては、ＡＰ１１０より受信したサイトサーベイ用の音を出力部１７７に出力する処理を行う。
【００４７】
記憶部１７５は、無線端末１７０で必要な情報を記憶する。
【００４８】
入力部１７６は、無線端末１７０に対して必要な情報の入力を受け付ける。特に、本実施形態においては、電話番号やＩＰアドレス等の情報の入力を受け付ける。
【００４９】
出力部１７７は、ＡＰ１１０より、または、ＡＰ１１０を介して受信した情報を出力する。
【００５０】
例えば、本実施形態においては、ＡＰ１１０より受信したサイトサーベイ用の音を出力するスピーカや、表示装置等である。
【００５１】
なお、本実施形態では、無線端末１７０は、無線ＬＡＮを介して音声信号の送受信を行うことのできる汎用のものを使用すればよい。
【００５２】
以上のように構成される通信システム１００での処理シーケンスを図４に示すシーケンス図を用いて説明する。
【００５３】
まず、無線端末１７０の通信処理部１７３が、ＡＰ１１０に対して無線での接続要求を行う（Ｓ２０００）。
【００５４】
このような接続要求を受信したＡＰ１１０では、受信した接続要求を正当なものと判断した場合には、無線接続を許可する（Ｓ２００１）。
【００５５】
ＡＰ１１０からの無線接続の許可を受信した無線端末１７０では、アプリケーション処理部１７４がＳＩＰに従ったＲＥＧＩＳＴＥＲメッセージを生成して、無線部１７８を介してＡＰ１１０に送信する（Ｓ２００２）。
【００５６】
この際、無線端末１７０のユーザ（サイトサーベイを行う者）は入力部１７６を介して予め定められた識別情報（例えば、送出先電話番号、宛先ＩＰアドレス、送信元ＩＰアドレス、発呼元電話番号等）を入力しておくことで、アプリケーション処理部１７４又は通信処理部１７３が当該識別情報をＲＥＧＩＳＴＥＲメッセージのＩＰパケットに含めて、ＡＰ１１０に送信する。
【００５７】
ＡＰ１１０では、通信処理部１３１が無線端末１１０から受信したＩＰパケットより予め定められた識別情報を抽出し、番号検査部１３２に出力して、番号検査部１３２が判定を行う（Ｓ２００３）。
【００５８】
番号検査部１３２での判定は、通信処理部１３１より入力された識別情報が、記憶部１５０の識別情報記憶領域１５１に記憶されているか否かで行う。ここで、本シーケンスでは、通信処理部１３１より入力された識別情報が、記憶部１５０の識別情報記憶領域１５１に記憶されているものとして処理を説明するが、記憶されていない場合には、通信処理部１３１に通知を行い、通信処理部１３１は、受信したＩＰパケットを有線部１６０を介して転送する。
【００５９】
番号検査部１３２において、通信処理部１３１より入力された識別情報が、記憶部１５０の識別情報記憶領域１５１に記憶されているものと判定された場合には、ＳＩＰ制御部１３３がリクエスト成功の応答メッセージである２００ＯＫのメッセージを無線端末１７０に無線部１２０を介して送信する（Ｓ２００４）。
【００６０】
２００ＯＫのメッセージを受信した無線端末１７０は、無線端末１７０のユーザが入力部１７６を介して電話番号を入力することにより、アプリケーション処理部１７４がＳＩＰのＩＮＶＩＴＥメッセージを生成して、通信処理部１７３及び無線部１７１を介して、ＡＰ１１０に送信する（Ｓ２００５）。
【００６１】
この際、無線端末１７０のユーザは、サイトサーベイを行う場合には、予め定められた特番を入力部１７６を介して入力する。本シーケンスでは、この特番が入力されたものとして説明する。
【００６２】
ＩＮＶＩＴＥメッセージを受信したＡＰ１１０では、通信処理部１３１がＩＮＶＩＴＥメッセージから電話番号を取得し、番号検査部１３２に出力し、番号検査部１３２で特番判定を行う（Ｓ２００６）。
【００６３】
特番判定は、通信処理部１３１より入力された電話番号が、記憶部１５０の識別情報記憶領域１５１に記憶されている特番に一致するか否かで行う。ここで、通信処理部１３１より入力された電話番号が、記憶部１５０の識別情報記憶領域１５１に記憶されている特番に一致しない場合には、番号検査部１３２により通信処理部１３１に通知し、通信処理部１３１は、有線部１６０を介して、ＩＰパケットを有線ＬＡＮに出力する。
【００６４】
一方、通信処理部１３１より入力された電話番号が、記憶部１５０の識別情報記憶領域１５１に記憶されている特番に一致する場合には、ＳＩＰ制御部１３３でＳＩＰに従った処理が行われる。なお、本シーケンスでは、通信処理部１３１より入力された電話番号が、記憶部１５０の識別情報記憶領域１５１に記憶されている特番に一致するものとして説明する。
【００６５】
通信処理部１３１より入力された電話番号が、記憶部１５０の識別情報記憶領域１５１に記憶されている特番に一致する場合には、ＳＩＰ制御部１３３は、ＩＮＶＩＴＥメッセージの送信元である無線端末１７０にリクエストの受信応答メッセージである１００ＴＲＹＩＮＧメッセージを送信し（Ｓ２００７）、また、リクエストの処理中であること示すメッセージである１８０ＲＩＮＧＩＮＧメッセージを送信する（Ｓ２００８）。
【００６６】
そして、ＳＩＰ制御部１３３は、ＳＳ用音発生部１３４にサイトサーベイ音を生成させて、パケット化部１３５でＩＰパケットに格納し、無線部１２０を介して呼出信号として無線端末１７０に送信する（Ｓ２００９）。
【００６７】
このような呼出信号を受信した無線端末１７０では、無線部１７１及び通信処理部１７３を介してアプリケーション処理部１７４がサイトサーベイ用音を再生し、出力部１７７より出力する。
【００６８】
そして、サイトサーベイが終了した場合等には、無線端末１７０のユーザが無線端末１７０の入力部１７６を介してキャンセルを指示することで、アプリケーション処理部１７４は、ＣＡＮＣＥＬメッセージを生成し、通信処理部１７３及び無線部１７１を介してＡＰ１１０に送信する（Ｓ２０１０）。ＣＡＮＣＥＬメッセージを受信したＡＰ１１０は、ＳＩＰ制御部１３３よりＳＳ用音発生部１３４にサイトサーベイ音の生成を停止させ、呼出信号の送出を停止する。
【００６９】
以上のように、無線端末１７０より特番を指定した呼要求に対して、ＡＰ１１０から特定の周波数のサイトサーベイ音を送出することにより、無線端末１７０において受信したサイトサーベイ音を再生し、サイトサーベイを行う者が聞きながら移動することにより、ＡＰ１１０から電波を正常に受信することができる範囲を特定することができるようになる。
【００７０】
例えば、図５（サイトサーベイ音の概略図）に示されているように、図５（Ａ）のような一定の周波数の音をサイトサーベイ音として無線端末１７０に送信することで、ＡＰ１１０からの電波が正常に届く範囲では、図５（Ａ）と同様の波形のサイトサーベイ音を無線端末１７０のユーザが聞くことができるのに対して、ＡＰ１１０からの距離が遠い場合や障害物がある場合等、通信状況の悪いところでは、パケットのロス、遅延又はゆらぎ等により通信の劣化が生じ、図５（Ｂ）に示すように、サイトサーベイ音が切断されてしまう。この場合、通常の無線端末１７０では、切断された部分の音声については、無音信号に置換される。したがって、サイトサーベイ音のパケットにパケットロス、遅延又はゆらぎ等の通信の劣化が発生すると、それを再生した音には部分的に音切れが発生する。
【００７１】
このため、無線端末１７０で再生されたサイトサーベイ音を聴取して音切れの有無を判断することにより、受信電力等を計器等で見ること無しに通信状況を検査することができる。
【００７２】
以上のように、本実施形態においては、無線ＬＡＮを介して実際に通信を行う無線端末１７０を用いて、サイトサーベイを行うことで、より実用的なサイトサーベイを行うことができるようになる。
【００７３】
また、ＡＰ１１０をＳＩＰサーバやＲＥＧＩＳＴＥＲサーバ等に接続しなくてもよいため、容易にサイトサーベイを行うことができるようになる。
【００７４】
以上に記載した実施形態においては、ＡＰ１１０から無線端末１７０に対して、呼出信号としてサイトサーベイ音を送信したが、このような態様に限定されず、例えば、ＡＰ１１０から無線端末１７０に対して、音声信号としてサイトサーベイ音を送信することもできる。このような場合の通信システム１００における処理シーケンスを図６に示すシーケンス図で説明する。
【００７５】
まず、無線端末１７０の通信処理部１７３が、ＡＰ１１０に対して無線での接続要求を行う（Ｓ２０２０）。
【００７６】
このような接続要求を受信したＡＰ１１０では、受信した接続要求を正当なものと判断した場合には、無線接続を許可する（Ｓ２０２１）。
【００７７】
ＡＰ１１０からの無線接続の許可を受信した無線端末１７０では、アプリケーション処理部１７４がＳＩＰに従ったＲＥＧＩＳＴＥＲメッセージを生成して、通信処理部１７３及び無線部１７８を介してＡＰ１１０に送信する（Ｓ２０２２）。
【００７８】
この際、無線端末１７０のユーザ（サイトサーベイを行う者）は入力部１７６を介して予め定められた識別情報（例えば、送出先電話番号、宛先ＩＰアドレス、送信元ＩＰアドレス、発呼元電話番号等）を入力しておくことで、アプリケーション処理部１７４又は通信処理部１７３が当該識別情報をＲＥＧＩＳＴＥＲメッセージのＩＰパケットに含めて、ＡＰ１１０に送信する。
【００７９】
ＡＰ１１０では、通信処理部１３１が無線端末１１０から受信したＩＰパケットより予め定められた識別情報を抽出し、番号検査部１３２に出力して、番号検査部１３２が判定を行う（Ｓ２０２３）。
【００８０】
ここでの判定は、通信処理部１３１より入力された識別情報が、記憶部１５０の識別情報記憶領域１５１に記憶されているか否かで行う。
【００８１】
番号検査部１３２において、通信処理部１３１より入力された識別情報が、記憶部１５０の識別情報記憶領域１５１に記憶されているものと判定された場合には、ＳＩＰ制御部１３３がリクエスト成功の応答メッセージである２００ＯＫのメッセージを無線端末１７０に無線部１２０を介して送信する（Ｓ２０２４）。
【００８２】
２００ＯＫのメッセージを受信した無線端末１７０は、無線端末１７０のユーザが入力部１７６を介して電話番号を入力することにより、アプリケーション処理部１７４がＳＩＰのＩＮＶＩＴＥメッセージを生成して、通信処理部１７３及び無線部１７１を介して、ＡＰ１１０に送信する（Ｓ２０２５）。
【００８３】
この際、無線端末１７０のユーザは、サイトサーベイを行う場合には、入力部１７６を介して、予め定められた特番を入力する。本シーケンスでは、当該特番が入力されたものとして説明する。
【００８４】
ＩＮＶＩＴＥメッセージを受信したＡＰ１１０では、通信処理部１３１がＩＮＶＩＴＥメッセージから電話番号を取得し、番号検査部１３２に出力し、番号検査部１３２で特番判定を行う（Ｓ２０２６）。
【００８５】
特番判定は、通信処理部１３１より入力された電話番号が、記憶部１５０の識別情報記憶領域１５１に記憶されている特番に一致するか否かで行う。
【００８６】
通信処理部１３１より入力された電話番号が、記憶部１５０の識別情報記憶領域１５１に記憶されている特番に一致する場合には、ＳＩＰ制御部１３３は、ＩＮＶＩＴＥメッセージの送信元である無線端末１７０に、リクエストの受信応答メッセージである１００ＴＲＹＩＮＧメッセージを送信し（Ｓ２０２７）、また、リクエストの処理中であること示すメッセージである１８０ＲＩＮＧＩＮＧメッセージを送信する（Ｓ２０２８）。
【００８７】
さらに、ＳＩＰ制御部１３３は、送信元の無線端末１７０に対して、呼出信号を送信し（Ｓ２０２９）、応答メッセージである２００ＯＫのメッセージを送信することにより（Ｓ２０３０）、無線端末１７０との間に音声信号での通話を開始する（Ｓ２０３１）。
【００８８】
ここで、音声信号での通話は、ＳＩＰ制御部１３３が、ＳＳ用音発生部１３４にサイトサーベイ音を生成させて、パケット化部１３５でＩＰパケットに格納し、音声信号として無線端末１７０に無線部１２０を介して送信することで行われる。
【００８９】
また、音声信号を長期間使用した場合には、ＳＩＰセッションの切断を防止するため、無線端末１７０のアプリケーション処理部１７４が、ＲＥ−ＩＮＶＩＴＥメッセージを生成して、ＡＰ１１０に送信する（Ｓ２０３２）。
【００９０】
この際、アプリケーション処理部１７４は、ステップＳ２０２５で入力された電話番号（ここでは、特番）をＲＥ−ＩＮＶＩＴＥメッセージに格納する。
【００９１】
ＲＥ−ＩＮＶＩＴＥメッセージを受信したＡＰ１１０では、ＳＩＰ制御部１３３がＲＥ−ＩＮＶＩＴＥメッセージから電話番号を取得し、番号検査部１３２に出力し、番号検査部１３２で特番判定を行う（Ｓ２０３３）。
【００９２】
特番判定は、前述と同様に、ＳＩＰ制御部１３３より入力された電話番号が、記憶部１５０の識別情報記憶領域１５１に記憶されている特番に一致するか否かで行う。
【００９３】
ＳＩＰ制御部１３３より入力された電話番号が、記憶部１５０の識別情報記憶領域１５１に記憶されている特番に一致する場合には、ＳＩＰ制御部１３３は、ＩＮＶＩＴＥメッセージの送信元である無線端末１７０に、リクエストの受信応答メッセージである１００ＴＲＹＩＮＧメッセージを送信し（Ｓ２０３４）、また、成功応答メッセージである２００ＯＫメッセージを送信する（Ｓ２０３５）。
【００９４】
これに対して、無線端末１７０のアプリケーション処理部１７４は、受信応答のＡＣＫメッセージを生成して、ＡＰ１１０に送信する（Ｓ２０３６）。
【００９５】
これにより、ＡＰ１１０と無線端末１７０との間の音声通信が維持される（Ｓ２０３７）。
【００９６】
なお、無線端末１７０のユーザがサイトサーベイ音の受信を終了する場合には、入力部１７６を介して終了指示を入力することにより、アプリケーション処理部１７４がＢＹＥメッセージを生成して、ＡＰ１１０に送信する（Ｓ２０３８）。
【００９７】
これを受けたＡＰ１１０では、ＳＩＰ制御部１３３が、リクエストの成功応答である２００ＯＫメッセージを生成して、無線部１２０を介して無線端末１７０に送信することで、音声通信を終了する（Ｓ２０３９）。
【００９８】
図７は、第一の実施形態の変形例であるＡＰ２１０の概略図である。
【００９９】
図示するように、ＡＰ２１０は、無線部１２０と、制御部２３０と、記憶部２５０と、有線部１６０と、を備えており、第一の実施形態と比較して、制御部２３０及び記憶部２５０が異なっているため、以下、これらの異なっている点に関連する事項について説明する。
【０１００】
本実施形態における制御部２３０には、読出制御部２３６が設けられている。
【０１０１】
読出制御部２３６は、パケット化部１３５で生成されたＩＰパケット及び有線部１６０から受信したＩＰパケットを後述する記憶部２５０の送出パケット記憶部２５２に記憶する。
【０１０２】
そして、読出制御部２３６は、通信処理部１３１による無線端末１７０への送出指示に応じて、送出パケット記憶領域２５２から特定のＩＰパケットを読み出し、無線部１２０を介して無線端末１７０に送信する。
【０１０３】
記憶部２５０には、送出パケット記憶領域２５２が設けられている。
【０１０４】
送出パケット記憶領域２５２には、読出制御部２３６の指示に応じて、パケット化部１３５で生成されたＩＰパケット及び有線部１６０から受信したＩＰパケットを記憶する。
【０１０５】
以上のように構成することで、一般の無線端末向けの音声やデータの信号を送受信しながら、サイトサーベイを行っている特定の無線端末向けにサイトサーベイ音を送信することができる。
【０１０６】
図８は、本発明の第二の実施形態である通信システムに用いられるＡＰ３１０の概略図である。
【０１０７】
図示するように、ＡＰ３１０は、無線部１２０と、制御部３３０と、記憶部１５０と、有線部１６０と、を備えており、第一の実施形態と比較して、制御部３３０が異なっているため、以下、この異なっている点に関連する事項について説明する。なお、本実施形態では、音声信号としてサイトサーベイ音を送信するものとして説明する。
【０１０８】
本実施形態における制御部３３０は、通信処理部１３１と、番号検査部１３２と、ＳＩＰ制御部３３３と、ＳＳ用音発生部１３４と、パケット化部１３５と、通信状況検査部３３７と、が設けられており、ＳＩＰ制御部３３３での処理と、通信状況検査部３３７が設けられている点と、が第一の実施形態と異なっているため、以下、これらの異なっている点に関連する事項について説明する。
【０１０９】
本実施形態におけるＳＩＰ制御部３３３は、第一の実施形態と同様の処理を行うほか、後述する通信状況検査部３３７において、通信状況の劣化を検出した場合には、予め定められた期間、ＳＳ用音発生部１３４で生成されたサイトサーベイ音を格納したＩＰパケットの送出を停止する。
【０１１０】
通信状況検査部３３７は、無線端末１７０との間の通信状況の劣化を検知する。
【０１１１】
例えば、通信状況検査部３３７は、無線部１２０で無線端末１７０より受信するパケットの数をカウントし、予め定められた期間に予め定められた数のパケットを受信しない場合には、通信状況が劣化したものとして、ＳＩＰ制御部３３３に通知を行う。このような通知を受けたＳＩＰ制御部３３３では、前述のように、パケット化部１３５で生成したＩＰパケットの送信を予め定められた期間停止する。
【０１１２】
以上のように構成される第二の実施形態における通信システムでの処理シーケンスを図９に示すシーケンス図を用いて説明する。
【０１１３】
なお、本シーケンスでは、第一の実施形態における図４のシーケンスにおけるステップＳ２０００〜ステップＳ２００４の登録処理は終了しているものとする。
【０１１４】
まず、無線端末１７０のユーザが入力部１７６を介して電話番号を入力することにより、アプリケーション処理部１７４がＳＩＰのＩＮＶＩＴＥメッセージを生成して、通信処理部１７３及び無線部１７１を介して、ＡＰ３１０に送信する（Ｓ２０４０）。
【０１１５】
この際、無線端末１７０のユーザが、サイトサーベイを行うために、特番の入力を行ったものとする。
【０１１６】
ＩＮＶＩＴＥメッセージを受信したＡＰ３１０では、通信処理部１３１がＩＮＶＩＴＥメッセージから宛先の電話番号を取得し、番号検査部１３２に出力し、番号検査部１３２で特番判定を行う（Ｓ２０４１）。
【０１１７】
特番判定は、通信処理部１３１より入力された宛先の電話番号が、記憶部１５０の識別情報記憶領域１５１に記憶されている特番に一致するか否かで行う。
【０１１８】
通信処理部１３１より入力された宛先の電話番号が、記憶部１５０の識別情報記憶領域１５１に記憶されている特番に一致する場合には、ＳＩＰ制御部３３３は、ＩＮＶＩＴＥメッセージの送信元である無線端末１７０に、リクエストの受信応答メッセージである１００ＴＲＹＩＮＧメッセージを送信し（Ｓ２０４２）、また、リクエストの処理中であること示すメッセージである１８０ＲＩＮＧＩＮＧメッセージを送信する（Ｓ２０４３）。
【０１１９】
さらに、ＳＩＰ制御部３３３は、送信元の無線端末１７０に対して、呼出信号を送信し（Ｓ２０４４）、応答メッセージである２００ＯＫのメッセージを送信することにより（Ｓ２０４５）、無線端末１７０との間に音声信号での通話を開始する（Ｓ２０４６）。
【０１２０】
ここで、音声信号での通話は、ＳＩＰ制御部３３３が、ＳＳ用音発生部１３４にサイトサーベイ音を生成させて、パケット化部１３５でＩＰパケットに格納し、音声信号として無線端末１７０に送信することで行われる。
【０１２１】
このとき、通信状況検査部３３７において、無線端末１７０から送信されてくるパケットの数を検査しており、予め定められた期間に受信したパケット数が予め定められたパケットの数に満たない場合には、通信状況の劣化を検知し（Ｓ２０４７）、ＳＩＰ制御部３３３に通知する。
【０１２２】
このような通知を受けたＳＩＰ制御部３３３では、ＳＳ用音発生部１３４で生成したサイトサーベイ音の送信を予め定められた期間停止して（Ｓ２０４８）、当該期間の経過後、再び、音声信号の送出を開始する（Ｓ２０４９）。
【０１２３】
なお、無線端末１７０のユーザがサイトサーベイ音の受信を終了する場合には、入力部１７６を介して終了指示を入力することにより、アプリケーション処理部１７４がＢＹＥメッセージを生成して、ＡＰ１１０に送信する（Ｓ２０５０）。
【０１２４】
これを受けたＡＰ１１０では、ＳＩＰ制御部３３３が、リクエストの成功応答である２００ＯＫメッセージを生成して、無線部１２０を介して無線端末１７０に送信することで、音声通信を終了する（Ｓ２０５１）。
【０１２５】
以上のような処理を行うことにより、本実施形態においては、無線端末１７０でのサイトサーベイ音を聴取することで、無線端末１７０からＡＰ３１０への通信状況と、ＡＰ３１０から無線端末１７０への通信状況と、の双方の通信状況を確認することができる。
【０１２６】
例えば、図１０（サイトサーベイ音の概略図）に示されているように、図１０（Ａ）のような一定の周波数の音をサイトサーベイ音として無線端末１７０に送信することで、ＡＰ３１０からの電波が正常に届く範囲では、図５（Ａ）と同様の波形のサイトサーベイ音を無線端末１７０のユーザが聴取することができるのに対して、ＡＰ３１０からの距離が遠い場合や障害物がある場合等、通信状況の悪いところでは、ＡＰ３１０から無線端末１７０への双方向のパケットのロス、遅延又はゆらぎ等を併せた通信の劣化が生じ、図１０（Ｂ）に示すように、サイトサーベイ音が切断されてしまう。この場合、通常の無線端末１７０では、切断された部分の音声については、無音信号に置換される。したがって、サイトサーベイ音のパケットにパケットロス、遅延又はゆらぎ等の通信の劣化が発生すると、それを再生した音には双方向の通信の劣化に相当して、部分的に音切れが発生する。
【０１２７】
図１１は、第二の実施形態の第一の変形例であるＡＰ４１０の概略図である。
【０１２８】
上述の第二の実施形態におけるＡＰ３１０では、通信状況検査部３３７において通信状況の劣化が検知された場合には、ＳＩＰ制御部３３３が、ＳＳ用音発生部１３４で生成されたサイトサーベイ音の送信を停止するようにしている。
【０１２９】
これに対して、本変形例では、無音発生部４３８を設けており、通信状況検査部３３７において通信状況の劣化が検知された場合には、ＳＩＰ制御部４３３は、無音発生部４３８で生成した無音をパケット化部１３５でＩＰパケットに格納して、無線端末１７０に送信するようにしている。
【０１３０】
なお、無音発生部４３８で生成する無音は、例えば、音量を無又は人間が聴取することができない程度に小さくした音声データや、音声データを含まないデータ等を用いればよい。
【０１３１】
図１２は、第二の実施形態の第二の変形例であるＡＰ５１０の概略図である。
【０１３２】
上述の第二の実施形態であるＡＰ３１０では、通信状況検査部３３７において通信状況の劣化が検知された場合には、ＳＩＰ制御部５３３は、ＳＳ用音発生部１３４で生成されたサイトサーベイ音を格納したパケットの送出を停止するようにしている。
【０１３３】
これに対して、本変形例では、第一のＳＳ用音発生部５３９と、第二のＳＳ用音発生部５４０と、を設けることにより、通信状況検査部３３７において通信状況の劣化が検知されない場合には、ＳＩＰ制御部５３３は、第一のＳＳ用音発生部５３９で生成した第一のサイトサーベイ音を無線端末１７０に送信するようにし、通信状況検査部３３７において通信状況の劣化が検知された場合には、ＳＩＰ制御部５３３は、第二のＳＳ用音発生部５４０で生成した第二のサイトサーベイ音を無線端末１７０に送信するようにしている。
【０１３４】
ここで、第一のＳＳ用音発生部５３９で生成する第一のサイトサーベイ音と、第二のＳＳ用音発生部５４０で生成する第二のサイトサーベイ音と、は、それぞれ異なる周波数の音を用いるものとし、これらの音は無線端末１７０のユーザが異なる音であると認識することができる程度に異なる周波数を用いる。
【０１３５】
なお、第二の実施形態においては、通信状況検査部３３７は、無線端末１７０との間の通信状況の劣化を、無線部１２０で受信するパケットの数をカウントすることにより検知しているが、このような態様に限定されず、例えば、無線部１２０でエラーと判定されるパケット数をカウントし、エラーとなるパケット数が予め定められた期間において予め定められた数を超える場合には、通信状況が劣化したと判断することも可能である。
【０１３６】
また、通信状況検査部３３７は、無線部１２０で受信するパケットのシーケンス番号の抜けが、予め定められた期間内に、予め定められた数ある場合に、通信状況が劣化したと判断することも可能である。
【０１３７】
図１３は、本発明の第三の実施形態である通信システムに用いられるＡＰ６１０の概略図である。
【０１３８】
図示するように、ＡＰ６１０は、無線部１２０と、制御部６３０と、記憶部１５０と、有線部１６０と、を備えており、第一の実施形態と比較して制御部６３０が異なっているため、以下、この異なっている点に関連する事項について説明する。
【０１３９】
本実施形態における制御部６３０は、通信処理部１３１と、番号検査部１３２と、ＳＩＰ制御部６３３と、パケット化部１３５と、通信状況検査部６３７と、第一のＳＳ用音発生部６３９と、第二のＳＳ用音発生部６４０と、第三のＳＳ用音発生部６４１と、第四のＳＳ用音発生部６４２と、を備えており、第一の実施形態と比較して、ＳＩＰ制御部６３３の処理と、通信状況検査部６３７、第一のＳＳ用音発生部６３９、第二のＳＳ用音発生部６４０、第三のＳＳ用音発生部６４１及び第四のＳＳ用音発生部６４２が設けられている点と、が異なっているため、以下これらに関連する事項について説明する。
【０１４０】
本実施形態におけるＳＩＰ制御部６３３は、後述の通信状況検査部６３７において、受信状況及び送信状況に劣化が生じていないと判断した場合と、受信状況に劣化が生じ送信状況に劣化が生じていない場合と、受信状況に劣化が生じ送信状況に劣化が生じていない場合と、受信状況及び送信状況に劣化が生じている場合と、で無線端末１７０に送信する音を異なるようにしている。
【０１４１】
例えば、ＳＩＰ制御部６３３は、通信状況検査部６３７において受信状況及び送信状況に劣化が生じていないと判断した場合には、第一のＳＳ用音発生部６３９で生成した第一のサイトサーベイ音をパケット化部１３５でＩＰパケットに格納して無線端末１７０に送信し、通信状況検査部６３７において受信状況に劣化が生じ送信状況に劣化が生じていないと判断した場合には、第二のＳＳ用音発生部６４０で生成した第二のサイトサーベイ音をパケット化部１３５でＩＰパケットに格納して無線端末１７０に送信し、通信状況検査部６３７において受信状況に劣化が生じておらず送信状況に劣化が生じていると判断した場合には、第三のＳＳ用音発生部６４１で生成した第三のサイトサーベイ音をパケット化部１３５でＩＰパケットに格納して無線端末１７０に送信し、通信状況検査部６３７において受信状況及び送信状況に劣化が生じていると判断した場合には、第四のＳＳ用音発生部６４２で生成した第四のサイトサーベイ音をパケット化部１３５でＩＰパケットに格納して無線端末１７０に送信する。
【０１４２】
ここで、第一のＳＳ用音発生部６３９で生成する第一のサイトサーベイ音、第二のＳＳ用音発生部６４０で生成する第二のサイトサーベイ音、第三のＳＳ用音発生部６４１で生成する第三のサイトサーベイ音及び第四のＳＳ用音発生部６４２で生成する第四のサイトサーベイ音は、無線端末１７０のユーザが聞き分けることのできる程度に相異なる周波数の音を用いる。
【０１４３】
通信状況検査部６３７は、受信状況と送信状況の劣化を検知する。
【０１４４】
ここで、通信状況検査部６３７は、無線端末１７０からパケットを受信する際の、受信劣化率を監視することにより、受信状況の劣化を検知する。
【０１４５】
例えば、通常、無線端末１７０からは特定の時間間隔でパケットが送信されるため、予め定められた時間内において無線端末１７０より受信すべきパケット数は予め定められた数となる。従って、予め定められた期間内における受信すべきパケット数に対する、受信すべきパケット数から実際に受信したパケット数の差分値、の割合を受信劣化率とする。
【０１４６】
そして、このようにして算出された受信劣化率が予め定められた閾値と比較して、劣化する割合が大きいと判断される場合（閾値よりも大きな場合）には、受信状況に劣化が生じたものと判断する。
【０１４７】
また、通信状況検査部６３７は、無線端末１７０にパケットを送信する際の、送信劣化率を監視することにより、送信状況の劣化を検知する。
【０１４８】
例えば、通常、無線端末１７０に対して特定の時間間隔でパケットを送信するため、無線端末１７０からも特定の時間間隔で受信応答（ＡＣＫ）が返信されるものと考えられる。従って、予め定められた時間内において無線端末１７０より受信すべき受信応答の数は、予め定められた数となる。従って、予め定められた期間内における受信すべき受信応答の数に対する、受信すべき受信応答の数から実際に受信した受信応答の数の差分値、の割合を送信劣化率とする。
【０１４９】
そして、このようにして算出された送信劣化率が予め定められた閾値と比較して、劣化する割合が大きいと判断される場合（閾値よりも大きな場合）には、送信状況に劣化が生じたものと判断する。
【０１５０】
第一のＳＳ用音発生部６３９、第二のＳＳ用音発生部６４０、第三のＳＳ用音発生部６４１及び第四のＳＳ用音発生部６４２は、上述のように、それぞれ異なる特定の周波数のサイトサーベイ音を生成する。なお、周波数の異なる程度は、無線端末１７０のユーザが聞き分けることのできる範囲で適宜選択すればよい。
【０１５１】
なお、通信状況検査部６３７は、受信状況の検知と送信状況の検知を同じ周期で行うことで、受信状況及び送信状況の劣化を同時に判断することができる。
【０１５２】
以上のように構成される第三の実施形態である通信システムの処理シーケンスを図１４に示すシーケンス図を用いて説明する。
【０１５３】
なお、本シーケンスでは、第一の実施形態における図４のシーケンス図におけるステップＳ２０００〜ステップＳ２００４の登録処理は終了しているものとする。
【０１５４】
まず、無線端末１７０のユーザが入力部１７６を介して電話番号を入力することにより、アプリケーション処理部１７４がＳＩＰのＩＮＶＩＴＥメッセージを生成して、通信処理部１７３及び無線部１７１を介して、ＡＰ６１０に送信する（Ｓ２０６０）。
【０１５５】
この際、無線端末１７０のユーザは、サイトサーベイを行うために、予め定められた特番を入力するものとする。
【０１５６】
ＩＮＶＩＴＥメッセージを受信したＡＰ６１０では、通信処理部１３１がＩＮＶＩＴＥメッセージから宛先の電話番号を取得し、番号検査部１３２に出力し、番号検査部１３２で特番判定を行う（Ｓ２０６１）。
【０１５７】
特番判定は、通信処理部１３１より入力された宛先の電話番号が、記憶部１５０の識別情報記憶領域１５１に記憶されている特番と一致するか否かで行う。
【０１５８】
通信処理部１３１より入力された宛先の電話番号が、記憶部１５０の識別情報記憶領域１５１に記憶されている特番に一致する場合には、ＳＩＰ制御部６３３は、ＩＮＶＩＴＥメッセージの送信元である無線端末１７０にリクエストの受信応答メッセージである１００ＴＲＹＩＮＧメッセージを送信し（Ｓ２０６２）、また、リクエストの処理中であること示すメッセージである１８０ＲＩＮＧＩＮＧメッセージを送信する（Ｓ２０６３）。
【０１５９】
さらに、ＳＩＰ制御部６３３は、送信元の無線端末１７０に対して、呼出信号を送信し（Ｓ２０６４）、応答メッセージである２００ＯＫのメッセージを送信することにより（Ｓ２０６５）、無線端末１７０との間に音声信号での通話を開始する（Ｓ２０６６）。
【０１６０】
音声信号での通話は、まず、ＳＩＰ制御部６３３が、第一のＳＳ用音発生部６３９において第一のサイトサーベイ音を生成させて、パケット化部１３５でＩＰパケットに格納し、音声信号として無線端末１７０に送信することで行われる。
【０１６１】
このとき、通信状況検査部６３７において、無線端末１７０から送信されてくるパケットから受信状況の劣化が検知された場合には（Ｓ２０６７）、受信状況の劣化をＳＩＰ制御部６３３に通知する。
【０１６２】
このような通知を受けたＳＩＰ制御部６３３では、第二のＳＳ用音発生部６４０で生成した第二のサイトサーベイ音をパケット化部１３５で格納したＩＰパケットを無線部１２０を介して無線端末１７０に送信する（Ｓ２０６８）。
【０１６３】
また、通信状況検査部６３７において、無線端末１７０から送信されてくる受信応答（ＡＣＫ）から送信状況の劣化が検知された場合には（Ｓ２０６９）、送信状況の劣化をＳＩＰ制御部６３３に通知する。
【０１６４】
このような通知を受けたＳＩＰ制御部６３３では、第三のＳＳ用音発生部６４１で生成した第三のサイトサーベイ音をパケット化部１３５で格納したＩＰパケットを無線部１２０を介して無線端末１７０に送信する（Ｓ２０７０）。
【０１６５】
さらに、通信状況検査部６３７において、無線端末１７０から送信されてくるパケット及び受信応答（ＡＣＫ）から受信状況及び送信状況の劣化が検知された場合には（Ｓ２０７１）、受信状況及び送信状況の劣化をＳＩＰ制御部６３３に通知する。
【０１６６】
このような通知を受けたＳＩＰ制御部６３３では、第四のＳＳ用音発生部６４２で生成した第四のサイトサーベイ音をパケット化部１３５で格納したＩＰパケットを無線部１２０を介して無線端末１７０に送信する（Ｓ２０７２）。
【０１６７】
なお、無線端末１７０のユーザがサイトサーベイ音の受信を終了する場合には、入力部１７６を介して終了指示を入力することにより、アプリケーション処理部１７４がＢＹＥメッセージを生成して、ＡＰ１１０に送信する（Ｓ２０７３）。
【０１６８】
これを受けたＡＰ１１０では、ＳＩＰ制御部６３３が、リクエストの成功応答である２００ＯＫメッセージを生成して、無線部１２０を介して無線端末１７０に送信することで、音声通信を終了する（Ｓ２０７４）。
【０１６９】
以上のような処理を行うことにより、本実施形態においては、無線端末１７０でのサイトサーベイ音を聴取することで、無線端末１７０からＡＰ６１０への通信状況と、ＡＰ３１０から無線端末１７０への通信状況と、の双方の通信状況を確認することができる。また、ＡＰ６１０から送信されてくるサイトサーベイ音により障害を生じているのが送信路であるのか受信路であるのかを容易に特定することができる。
【０１７０】
なお、以上に記載した第三の実施形態においては、受信状況の劣化を、劣化率を算出することにより、判断しているが、このような態様に限定されず、例えば、特定の期間内における受信パケットの数が予め定められた閾値に満たない場合に、受信状況に劣化が生じたものと判断するようにしてもよい。
【０１７１】
また、同様に、送信状況の劣化を、劣化率を算出することにより、判断しているが、このような態様に限定されず、例えば、特定の期間内における受信応答（ＡＣＫ）の数が予め定められた閾値に満たない場合に、送信状況に劣化が生じたものと判断するようにしてもよい。
【０１７２】
図１５は、本発明の第四の実施形態である通信システムに用いられるＡＰ７１０の概略図である。
【０１７３】
図示するように、ＡＰ７１０は、無線部１２０と、制御部７３０と、記憶部１５０と、有線部１６０と、を備えており、第一の実施形態と比較して制御部７３０が異なっているため、以下、この異なっている点に関連する事項について説明する。
【０１７４】
本実施形態における制御部７３０は、通信処理部１３１と、番号検査部１３２と、ＳＩＰ制御部１３３と、パケット化部１３５と、通信状況検査部７３７と、合成音声付きＳＳ用音発生部７４３と、を備えており、第一の実施形態と比較して、通信状況検査部７３７及び合成音声付きＳＳ用音発生部７４３が設けられている点と、が異なっているため、以下これらに関連する事項について説明する。
【０１７５】
通信状況検査部７３７は、受信状況と送信状況とを検知する。
【０１７６】
ここで、通信状況検査部７３７は、無線端末１７０からパケットを受信する際の、受信劣化率を算出することにより、受信状況を検知する。
【０１７７】
通常、無線端末１７０からは特定の時間間隔でパケットが送信されるため、予め定められた時間内において無線端末１７０より受信すべきパケット数は予め定められた数となる。従って、予め定められた期間内における受信すべきパケット数に対する、受信すべきパケット数から実際に受信したパケット数の差分値、の割合を受信劣化率として通信状況検査部７３７は、算出する。
【０１７８】
例えば、予め定められた期間内における受信すべきパケット数をｍ、実際に受信したパケット数をｎとすると、受信劣化率Ｒは、下記の（１）式のようになる。
【０１７９】
【数１】
2008219079.tif 000003
【０１８０】
そして、通信状況検査部７３７は、このようにして算出された受信劣化率を合成音声付きＳＳ用音発生部７４３に出力する。
【０１８１】
また、通信状況検査部７３７は、無線端末１７０にパケットを送信する際の、送信劣化率を算出することにより、送信状況を検知する。
【０１８２】
通常、無線端末１７０に対して特定の時間間隔でパケットを送信するため、無線端末１７０からも特定の時間間隔で受信応答（ＡＣＫ）が返信されるものと考えられる。従って、予め定められた時間内において無線端末１７０より受信すべき受信応答の数は、予め定められた数となる。従って、予め定められた期間内における受信すべき受信応答の数に対する、受信すべき受信応答の数から実際に受信した受信応答の数の差分値、の割合を送信劣化率として通信状況検査部７３７は算出する。
【０１８３】
例えば、予め定められた期間内における受信すべき受信応答の数をｐ、実際に受信した受信応答の数をｑとすると、受信劣化率Ｓは、下記の（２）式のようになる。
【０１８４】
【数２】
2008219079.tif 000004
【０１８５】
そして、通信状況検査部７３７は、このようにして算出された送信劣化率を合成音声付きＳＳ用音発生部７４３に出力する。
【０１８６】
合成音声付きＳＳ用音発生部７４３は、特定の周波数の音（サイトサーベイ音）を生成するとともに、通信状況検査部７３７から受信劣化率及び送信劣化率が入力されると、これらの受信劣化率及び送信劣化率を出力する合成音声を生成して、特定の周波数の音（サイトサーベイ音）に合成する。このようにして生成された合成音声付きサイトサーベイ音は、パケット化部１３５でＩＰパケットに格納されて、無線部１２０を介して無線端末１７０に送信される。
【０１８７】
なお、通信状況検査部７３７は、受信劣化率及び送信劣化率を特定の周期で算出して合成音声付きＳＳ用音発生部７４３に出力することで、合成音声付きＳＳ用音発生部７４３は、入力した受信劣化率及び送信劣化率を出力する合成音声を特定の周期でサイトサーベイ音に合成して、無線端末１７０に送信する。
【０１８８】
以上のように構成される本発明の第四の実施形態である通信システムの処理シーケンスを図１６に示すシーケンス図を用いて説明する。
【０１８９】
なお、本シーケンスでは、第一の実施形態における図４のシーケンス図におけるステップＳ２０００〜ステップＳ２００４と同様の登録処理は終了しているものとする。
【０１９０】
まず、無線端末１７０のユーザが入力部１７６を介して電話番号を入力することにより、アプリケーション処理部１７４がＳＩＰのＩＮＶＩＴＥメッセージを生成して、通信処理部１７３及び無線部１７１を介して、ＡＰ７１０に送信する（Ｓ２０８０）。
【０１９１】
この際、無線端末１７０のユーザは、サイトサーベイを行うために、入力部１７６を介して、予め定められた特番を入力したものとする。
【０１９２】
ＩＮＶＩＴＥメッセージを受信したＡＰ７１０では、通信処理部１３１がＩＮＶＩＴＥメッセージから宛先の電話番号を取得し、番号検査部１３２に出力し、番号検査部１３２で特番判定を行う（Ｓ２０８１）。
【０１９３】
特番判定は、通信処理部１３１より入力された宛先の電話番号が、記憶部１５０の識別情報記憶領域１５１に記憶されている特番に一致するか否かで行う。
【０１９４】
通信処理部１３１より入力された宛先の電話番号が、記憶部１５０の識別情報記憶領域１５１に記憶されている特番に一致する場合には、ＳＩＰ制御部１３３は、ＩＮＶＩＴＥメッセージの送信元である無線端末１７０にリクエストの受信応答メッセージである１００ＴＲＹＩＮＧメッセージを送信し（Ｓ２０８２）、また、リクエストの処理中であること示すメッセージである１８０ＲＩＮＧＩＮＧメッセージを送信する（Ｓ２０８３）。
【０１９５】
さらに、ＳＩＰ制御部１３３は、送信元の無線端末１７０に対して、呼出信号を送信し（Ｓ２０８４）、応答メッセージである２００ＯＫのメッセージを送信することにより（Ｓ２０８５）、無線端末１７０との間に音声信号での通話を開始する（Ｓ２０８６）。
【０１９６】
音声信号での通話は、合成音声付きＳＳ用音発生部７４３で生成されたサイトサーベイ音を、パケット化部１３５でＩＰパケットに格納し、音声信号として無線端末１７０に送信することで行われる。
【０１９７】
そして、特定の周期において、通信状況検査部７３７が、無線端末１７０との間の受信劣化率と送信劣化率とを算出し、算出した結果を合成音声付きＳＳ用音発生部７４３に出力する（Ｓ２０８７）。
【０１９８】
このような受信劣化率と送信劣化率とを受信した合成音声付きＳＳ用音発生部７４３は、受信劣化率と送信劣化率を出力する合成音声を生成してサイトサーベイ音に合成する。このようにして生成された合成音声付きサイトサーベイ音は無線端末１７０に送信される（Ｓ２０８８）。
【０１９９】
そして、再び、合成音声付きＳＳ用音発生部７４３で生成されたサイトサーベイ音が無線端末１７０に送信される（Ｓ２０８９）。
【０２００】
以上のようにして、受信劣化率と送信劣化率を出力する合成音声が合成されたサイトサーベイ音が特定の周期で無線端末１７０に送信されるようになる。
【０２０１】
なお、無線端末１７０のユーザがサイトサーベイ音の受信を終了する場合には、入力部１７６を介して終了指示を入力することにより、アプリケーション処理部１７４がＢＹＥメッセージを生成して、ＡＰ７１０に送信する（Ｓ２０９０）。
【０２０２】
これを受けたＡＰ７１０では、ＳＩＰ制御部１３３が、リクエストの成功応答である２００ＯＫメッセージを生成して、無線部１２０を介して無線端末１７０に送信することで、音声通信を停止する（Ｓ２０９１）。
【０２０３】
以上のような処理を行うことにより、本実施形態においては、無線端末１７０での合成音声付きのサイトサーベイ音を聴取することで、無線端末１７０からＡＰ７１０への通信状況と、ＡＰ７１０から無線端末１７０への通信状況と、の双方の通信状況を容易に確認することができる。
【０２０４】
以上に記載した実施形態においては、通信状況検査部７３７において、予め定められた期間内における受信すべき受信応答の数に対する、受信すべき受信応答の数から実際に受信した受信応答の数の差分値、の割合を送信劣化率として算出しているが、このような態様に限定されず、例えば、予め定められた期間内において送信したパケットの数に対する、当該送信したパケット数から実際に受信した受信応答の数の差分値、の割合を送信劣化率として算出することも可能である。
【０２０５】
さらに、予め定められた期間内において送信しようとしたパケットの数に対する、再送打ち切りとなった送信パケットの数、の割合を送信劣化率として算出することも可能である。
【０２０６】
また、以上に記載した第四の実施形態においては、通信状況検査部７３７で算出した受信劣化率と送信劣化率を特定する合成音声を、サイトサーベイ音に合成して無線端末１７０に送信するようにしているが、例えば、図１７（第四の実施形態の変形例であるＡＰ８１０の概略図）に示すＡＰ８１０のように、ブラウザ画面生成部８４４を設けて、通信状況検査部７３７で算出した受信劣化率と送信劣化率を特定する文字列を有するブラウザ画面の画像データを生成して、無線端末１７０に送信するようにしてもよい。
【０２０７】
そして、無線端末１７０では、予めブラウザを立ち上げておくことで、アプリケーション処理部１７４が当該ブラウザの画像表示領域に、受信した画像データを表示する。
【０２０８】
このような処理を行うことで、無線端末１７０のユーザは、サイトサーベイ音で通信状況を確認することも、ブラウザ画面で通信状況を確認することも可能であり、容易に通信状況を確認することができる。
【０２０９】
図１８は、本発明の第五の実施形態である通信システム９００の概略図である。
【０２１０】
図示するように、通信システム９００は、第一のＡＰ９１０Ａと、第二のＡＰ９１０Ｂと、無線端末１７０と、を備え、第一のＡＰ９１０Ａ及び第二のＡＰ９１０Ｂはネットワーク１８０に接続されている。
【０２１１】
本実施形態では、第一のＡＰ９１０Ａ及び第二のＡＰ９１０Ｂを用いることで、ハンドオーバし易い位置を検出するためにサイトサーベイ音を送出する通信システムを説明する。
【０２１２】
図１９は、第一のＡＰ９１０Ａの概略図である。
【０２１３】
図示するように、第一のＡＰ９１０Ａは、無線部１２０と、制御部９３０と、記憶部１５０と、有線部１６０と、を備え、第一の実施形態と比較して、制御部９３０が異なっているため、以下、この異なっている点に関連する事項について説明する。
【０２１４】
本実施形態における制御部９３０は、通信処理部９３１と、番号検査部９３２と、ＳＩＰ制御部１３３と、ＳＳ用音発生部１３４と、パケット化部１３５と、を備えており、第一の実施形態と異なり、通信処理部９３１及び番号検査部９３２での処理が異なるため、以下、これらの異なる点について説明する。
【０２１５】
通信処理部９３１は、第一の実施形態と同様の処理を行うほか、ＩＥＥＥ８０２．１１で定めるハンドオーバ処理を行う際に、無線端末の接続元のＡＰから通知される無線端末１７０の宛先の電話番号を抽出して、番号検査部９３２に出力する。
【０２１６】
番号検査部９３２は、第一の実施形態と同様の処理を行うほか、本実施形態においては、ハンドオーバ処理の際に、通信処理部９３１から通知される電話番号の特番判定を行う。
【０２１７】
特番判定は、第一の実施形態と同様に、通信処理部９３１から通知された電話番号が、記憶部１５０の識別番号記憶領域１５１に記憶されている特番と一致するか否かで行う。
【０２１８】
第二のＡＰ９１０Ｂは、第一のＡＰ９１０Ａと同様に構成されているが、第一のＡＰ９１０Ａとは異なる周波数のサイトサーベイ音をＳＳ用音発生部１３４で生成するようにしている。なお、第一のＡＰ９１０Ａとは異なる周波数のサイトサーベイ音は、無線端末１７０のユーザがこれらのサイトサーベイ音を異なるものとして識別することのできる範囲で適宜選択すればよい。
【０２１９】
以上に記載した第五の実施形態である通信システム９００における処理シーケンスを図２０に示すシーケンス図を用いて説明する。
【０２２０】
図２０のステップＳ２１００〜ステップＳ２１１１は、図６のステップＳ２０２０〜ステップＳ２０３１と同様であるため、説明を省略する。
【０２２１】
無線端末１７０が、ステップＳ２１１１において、第一のＡＰ９１０Ａからサイトサーベイ用の音を音声信号として受信している際に、無線端末１７０のユーザが無線端末１７０を持って、第一のＡＰ９１０Ａからの位置を移動すること等により、第一のＡＰ９１０Ａからの受信電力等が低下した場合には、無線端末１７０は、第二のＡＰ９１０Ｂに無線の接続要求を行う（Ｓ２１１２）。
【０２２２】
このような接続要求を受信した第二のＡＰ９１０Ｂでは、受信した接続要求を正当なものと判断することにより、無線接続を許可する（Ｓ２１１３）。
【０２２３】
次に、第一のＡＰ９１０Ａと第二のＡＰ９１０Ｂとの間で、ハンドオーバのための情報を交換する（Ｓ２１１４）。
【０２２４】
ここで、ハンドオーバの際には、ハンドオーバ元の第一のＡＰ９１０Ａから第二のＡＰ９１０Ｂに無線端末１７０のＩＰアドレス、発呼状態（ここでは、話し中）及び宛先電話番号を少なくとも知らせることになっている。
【０２２５】
このような情報を受信した通信処理部９３１は、宛先電話番号を番号検査部９３２に出力することで、番号検査部９３２が特番判定を行う（Ｓ２１１５）。
【０２２６】
ここで、無線端末１７０からかけられた電話番号は、予め定められた特番になっているため、第二のＡＰ９１０ＢのＳＩＰ制御部１３３は、ＳＳ用音発生部１３４において生成されたサイトサーベイ音（第一のＡＰ９１０Ａとは異なる周波数のもの）をパケット化部１３５でＩＰパケットに格納して、無線部１２０を介して無線端末１７０に送信する（Ｓ２１１６）。
【０２２７】
なお、無線端末１７０のユーザがサイトサーベイ音の受信を終了する場合には、入力部１７６を介して終了指示を入力することにより、アプリケーション処理部１７４がＢＹＥメッセージを生成して、第二のＡＰ９１０Ｂに送信する（Ｓ２１１７）。
【０２２８】
これを受けた第二のＡＰ９１０Ｂでは、ＳＩＰ制御部１３３が、リクエストの成功応答である２００ＯＫメッセージを生成して、無線部１２０を介して無線端末１７０に送信することで、音声通信を終了する（Ｓ２１１８）。
【０２２９】
以上のような処理を行うことにより、本実施形態では、隣接するＡＰが生成するサイトサーベイ音の周波数を互いに異ならせて、サイトサーベイを行っているユーザがサイトサーベイ音を聞きながら無線端末を持って移動すると、サイトサーベイ音の周波数が変化する位置を聴取して、ハンドオーバが発生した位置を特定することができる。
【０２３０】
その結果、ハンドオーバした位置が、通路や部屋の境界などのようにユーザが滞在せず、ハンドオーバしても問題がない場所か、居室の中央のようにユーザが滞在し、ハンドオーバが生ずると問題が生ずる場所か、を容易に判断できる。
【０２３１】
なお、以上に記載した実施形態においては、第一のＡＰ９１０Ａ及び第二のＡＰ９１０ＢのＳＳ用音発生部１３４で生成するサイトサーベイ音をはじめから各々異なるものを生成するようにしているが、このような態様に限定されず、例えば、図２０のステップＳ２１１４でのハンドオーバ処理において、第一のＡＰ９１０Ａから第二のＡＰ９１０Ｂに自装置が送信しているサイトサーベイ音の周波数を特定する情報を通知するようにしてもよい、このような情報を第二のＡＰ９１０Ｂが取得することにより、ＳＩＰ制御部１３３がＳＳ用音発生部１３４に第一のＡＰ９１０Ａから送信しているものとは異なる周波数のサイトサーベイ用の音を生成するように指示を出し、ＳＳ用音発生部１３４で指示された周波数のサイトサーベイ音を生成するようにしてもよい。
【０２３２】
また、通常、隣接するＡＰ同士のチャンネル周波数は異なるものを使用するため、各ＡＰが生成するサイトサーベイ音を各ＡＰが使用するチャンネル周波数毎に異なるようにしておくことも可能である。
【０２３３】
さらに、無線を介して、ＡＰ毎にサイトサーベイ音として使用する周波数を特定する情報を通知するようにしてもよい。例えば、ＡＰが送信するビーコン信号にサイトサーベイ音として使用する周波数を特定する情報を付加して、他のＡＰに自装置が使用するサイトサーベイ音の周波数を通知してもよい。このような場合には、先にビーコン信号を送信したＡＰが通知したサイトサーベイ音の周波数を使用し、他のＡＰは他の周波数を使用するようにすることができる。また、特番を判定した後に、ＡＰから送信するビーコン信号にサイトサーベイ音の周波数を特定する情報を付加するようにしてもよい。このような場合には、ハンドオーバ先のＡＰは、ハンドオーバ元のＡＰのビーコン信号に付加されているサイトサーベイ音の周波数以外の周波数でサイトサーベイ音を生成すればよい。
【０２３４】
加えて、有線を介して、ＡＰ毎にサイトサーベイ音として使用する周波数を特定する情報を通知するような場合には、例えば、無線端末170に接続許可を出したＡＰが、特番を判定した後に、ブロードキャストでサイトサーベイ音の周波数を特定する情報を通知するようにしてもよい。このような場合には、ハンドオーバ先のＡＰは、ハンドオーバ元のＡＰからブロードキャストで通知されたサイトサーベイ音の周波数以外の周波数でサイトサーベイ音を生成すればよい。
【０２３５】
図２１は、本発明の第六の実施形態である通信システムで用いられる第一のＡＰ１０１０Ａの概略図である。本実施形態における通信システムは、第五の実施形態と同様に、無線端末１７０と、複数のＡＰ（第一のＡＰ１０１０Ａ、第二のＡＰ１０１０Ｂ）と、を備えている。
【０２３６】
図示するように、第一のＡＰ１０１０Ａは、無線部１２０と、制御部１０３０と、記憶部１５０と、有線部１６０と、を備え、第一の実施形態と比較して、制御部１０３０が異なっているため、以下、この異なっている点に関連する事項について説明する。
【０２３７】
本実施形態における制御部１０３０は、通信処理部１０３１と、番号検査部１３２と、ＳＩＰ制御部１３３と、ＳＳ用音発生部１３４と、パケット化部１３５と、ハンドオーバ停止処理部１０４５と、を備えており、第一の実施形態と異なり、通信処理部１０３１での処理、および、ハンドオーバ停止処理部１０４５が備えられていること、が異なるため、以下、これらの異なる点について説明する。
【０２３８】
通信処理部１０３１は、第一の実施形態と同様の処理を行うほか、ハンドオーバ停止処理部１０４５から、ハンドオーバの停止通知を受けた場合には、ＩＥＥＥ８０２．１１で定めるハンドオーバ処理を停止する。
【０２３９】
具体的には、無線端末１７０からの無線接続要求に対して、接続許可を送信しないようにする。
【０２４０】
ハンドオーバ停止処理部１０４５は、番号検査部１３２における特番判定において、特番の検知がなされた場合には、ハンドオーバを停止する旨を特定する情報を、有線部１６０を介して、他のＡＰ（第二のＡＰ１０１０Ｂ）に通知する。
【０２４１】
他のＡＰへの通知は、予め通知するＡＰのアドレス情報を取得しておき、取得しているアドレス情報で特定されるＡＰに送信してもよく、また、ブロードキャストで送信してもよい。
【０２４２】
また、ハンドオーバ停止処理部１０４５は、有線部１６０を介して他のＡＰからハンドオーバを停止する旨を特定する情報を受信した場合には、その旨を通信処理部１０３１に通知する。
【０２４３】
以上のように構成される第六の実施形態である通信システムでの処理シーケンスを図２２に示すシーケンス図を用いて説明する。
【０２４４】
まず、無線端末１７０の通信処理部１７３が、第一のＡＰ１０１０Ａに対して無線での接続要求を行う（Ｓ２１２０）。
【０２４５】
このような接続要求を受信した第一のＡＰ１０１０Ａでは、受信した接続要求を正当なものと判断した場合には、無線接続を許可する（Ｓ２１２１）。
【０２４６】
第一のＡＰ１０１０Ａからの無線接続の許可を受信した無線端末１７０では、アプリケーション処理部１７４がＳＩＰに従ったＲＥＧＩＳＴＥＲメッセージを生成して、無線部１７８を介して第一のＡＰ１０１０Ａに送信する（Ｓ２１２２）。
【０２４７】
この際、無線端末１７０のユーザ（サイトサーベイを行う者）は入力部１７６を介して予め定められた識別情報（例えば、送出先電話番号、宛先ＩＰアドレス、送信元ＩＰアドレス、発呼元電話番号等）を入力しておくことで、アプリケーション処理部１７４又は通信処理部１７３が当該識別情報をＲＥＧＩＳＴＥＲメッセージのＩＰパケットに含めて、第一のＡＰ１０１０Ａに送信する。
【０２４８】
第一のＡＰ１０１０Ａでは、通信処理部１０３１が無線端末１７０から受信したＩＰパケットより予め定められた識別情報を抽出し、番号検査部１３２に出力して、番号検査部１３２が判定を行う（Ｓ２１２３）。
【０２４９】
番号検査部１３２での判定は、通信処理部１０３１より入力された識別情報が、記憶部１５０の識別情報記憶領域１５１に記憶されているか否かで行う。
【０２５０】
番号検査部１３２において、通信処理部１０３１より入力された識別情報が、記憶部１５０の識別情報記憶領域１５１に記憶されているものと判定された場合には、ＳＩＰ制御部１３３がリクエスト成功の応答メッセージである２００ＯＫのメッセージを無線端末１７０に無線部１２０を介して送信する（Ｓ２１２４）。
【０２５１】
２００ＯＫのメッセージを受信した無線端末１７０は、無線端末１７０のユーザが入力部１７６を介して電話番号を入力することにより、アプリケーション処理部１７４がＳＩＰのＩＮＶＩＴＥメッセージを生成して、通信処理部１７３及び無線部１７１を介して、第一のＡＰ１０１０Ａに送信する（Ｓ２１２５）。
【０２５２】
この際、無線端末１７０のユーザは、サイトサーベイを行うために、予め定められた特番を入力部１７６を介して入力するものとする。
【０２５３】
ＩＮＶＩＴＥメッセージを受信した第一のＡＰ１０１０Ａでは、通信処理部１０３１がＩＮＶＩＴＥメッセージから電話番号を取得し、番号検査部１３２に出力し、番号検査部１３２で特番判定を行う（Ｓ２１２６）。
【０２５４】
特番判定は、通信処理部１０３１より入力された電話番号が、記憶部１５０の識別情報記憶領域１５１に記憶されている特番に一致するか否かで行う。
【０２５５】
通信処理部１０３１より入力された電話番号が、記憶部１５０の識別情報記憶領域１５１に記憶されている特番に一致する場合には、ＳＩＰ制御部１３３は、ＩＮＶＩＴＥメッセージの送信元である無線端末１７０にリクエストの受信応答メッセージである１００ＴＲＹＩＮＧメッセージを送信し（Ｓ２１２７）、また、リクエストの処理中であること示すメッセージである１８０ＲＩＮＧＩＮＧメッセージを送信する（Ｓ２１２８）。
【０２５６】
そして、ハンドオーバ停止処理部１０４５は、第二のＡＰ１０１０Ｂにハンドオーバを停止する旨を特定する情報を送信する（Ｓ２１２９）。ここで、本シーケンスでは、当該情報をブロードキャストで送信するものとする。
【０２５７】
このような情報を受信した第二のＡＰ１０１０Ｂでは、ハンドオーバ停止処理部１０４５から通信処理部１０３１に通知が行われ、通信処理部１０３１では、ハンドオーバ処理を停止する（Ｓ２１３０）。
【０２５８】
一方、第一のＡＰ１０１０Ａでは、ＳＩＰ制御部１３３が、ＳＳ用音発生部１３４において特定の周波数の音（サイトサーベイ用音）を生成させて、パケット化部１３５でＩＰパケットに格納し、呼出信号として無線端末１７０に送信する（Ｓ２１３１）。
【０２５９】
ここで、無線端末１７０のユーザが無線端末１７０の位置を移動させることで、無線端末１７０において第一のＡＰ１０１０Ａからの受信電力が弱くなった場合等には、無線端末１７０から第二のＡＰ１０１０Ｂに無線接続要求が送信されるが（Ｓ２１３２）、第二のＡＰ１０１０Ｂでは、通信処理部１０３１においてハンドオーバ処理が停止されているため、無線接続の許可が送信されずに、第一のＡＰ１０１０Ａからの呼出信号（サイトサーベイ音）の送出が継続される（Ｓ２１３３）。
【０２６０】
そして、サイトサーベイが終了した場合等には、無線端末１７０のユーザが入力部１７６を介してキャンセルを指示することで、アプリケーション処理部１７４は、ＣＡＮＣＥＬメッセージを生成し、通信処理部１７３及び無線部１７１を介して第一のＡＰ１０１０Ａに送信する（Ｓ２１３４）。ＣＡＮＣＥＬメッセージを受信した第一のＡＰ１０１０Ａは、ＳＩＰ制御部１３３よりＳＳ用音発生部１３４にサイトサーベイ音の生成を停止させ、呼出信号の送出を停止する。
【０２６１】
以上のように、本実施形態によれば、ＡＰを用いて実際の通信を開始した後においても、特定の電話番号を指定してサイトサーベイを行うことができ、また、他のＡＰにハンドオーバすることがないため、一つのＡＰとの間の通信状況を確認することができる。
【０２６２】
図２３は、本発明の第七の実施形態である通信システムで用いられる第一のＡＰ１１１０Ａの概略図である。本実施形態における通信システムは、第五の実施形態と同様に、無線端末１７０と、複数のＡＰ（第一のＡＰ１１１０Ａ、第二のＡＰ１１１０Ｂ）と、を備えている。
【０２６３】
図示するように、第一のＡＰ１１１０Ａは、無線部１２０と、制御部１１３０と、記憶部１１５０と、有線部１６０と、を備え、第一の実施形態と比較して、制御部１１３０及び記憶部１１５０が異なっているため、以下、この異なっている点に関連する事項について説明する。
【０２６４】
本実施形態における制御部１１３０は、通信処理部１３１と、番号検査部１３２と、ＳＩＰ制御部１１３３と、ＳＳ用音発生部１３４と、パケット化部１３５と、負荷用音発生部１１４６と、負荷用音送信指示部１１４７と、を備えており、第一の実施形態と異なり、ＳＩＰ制御１１３３での処理、負荷用音発生部１１４６及び負荷用音送信支持部１１４７が設けられていること、が異なっているため、以下、これらの異なる点について説明する。
【０２６５】
ＳＩＰ制御部１１３３は、番号検査部１３２において、通信処理部１３１入力された識別情報に一致する情報が、記憶部１５０に記憶されている識別情報記憶領域１５１に記憶されていると判定した際に、後述する読出制御部１１３６を介して、記憶部１１５０の送出パケット記憶領域１１５２よりＳＳ用音発生部１３４で生成したサイトサーベイ音、または、負荷用音発生部１１４６で生成した負荷用音、を読み出して、無線部１２０を介して各々の送信先に送信する。
【０２６６】
ここで、負荷用音については、架空の無線端末に送信する。例えば、実在しない（実在し得ない）無線端末のアドレスを予め記憶しておき、当該アドレス宛に無線信号を送信する。
【０２６７】
また、ＳＩＰ制御部１１３３は、後述する負荷用音送信指示部１１４７より他のＡＰから負荷用の音の送信指示を受けた旨の通知を受けた場合にも、負荷用音発生部１１４６で生成した負荷用音をパケット化部１３５でＩＰパケットに格納して、無線部１２０を介して架空の無線端末に送信する。
【０２６８】
読出制御部１１３６は、ＳＳ用音発生部１３４で生成されたサイトサーベイ音、および、負荷用音発生部１１４６で生成された負荷用音、のそれぞれをパケット化部１３５でＩＰパケットに格納し、それぞれを識別可能に記憶部１１５０の送出パケット記憶領域１１５２に記憶する。
【０２６９】
そして、読出制御部１１３６は、ＳＩＰ制御部１１３３におけるバックオフ制御による送信先への送出指示に応じて、送出パケット記憶領域１１５２から当該送出先へのＩＰパケットを読み出し、無線部１２０を介して送信する。
【０２７０】
負荷用音発生部１１４６は、負荷用に使用される特定の音を生成する。この負荷用の特定の音については、可聴帯域の周波数から特定の周波数の音を適宜選択するのが望ましい。
【０２７１】
負荷用音送信指示部１１４７は、番号検査部１３２において、通信処理部１３１より入力された識別情報に一致する情報が、記憶部１５０に記憶されている識別情報記憶領域１５１に記憶されていると判定した際に、負荷用の音を送信する指示を特定する情報を、有線部１６０を介して、他のＡＰ（第二のＡＰ１１１０Ｂ）に通知する。
【０２７２】
他のＡＰへの通知は、予め通知するＡＰのアドレス情報を取得しておき、取得しているアドレス情報で特定されるＡＰに送信してもよく、また、ブロードキャストで送信してもよい。
【０２７３】
また、負荷用音送信指示部１１４７は、有線部１６０を介して他のＡＰから負荷用の音を送信する指示を特定する情報を受信した場合には、その旨をＳＩＰ制御部１１３３に通知する。
【０２７４】
記憶部１１５０は、識別情報記憶領域１５１と、送出パケット記憶領域１１５２と、を備え、第一の実施形態と比較して、送出パケット記憶領域１１５２が設けられている点で異なっているため、以下、この異なっている点に関連する事項について説明する。
【０２７５】
送出パケット記憶領域１１５２には、読出制御部１１３６の指示に応じて、パケット化部１３５で生成されたサイトサーベイ音及び負荷用音発生部１１４６で生成された負荷用音のＩＰパケットが格納される。
【０２７６】
以上のように構成される第七の実施形態である通信システムでの処理シーケンスを図２４に示すシーケンス図を用いて説明する。
【０２７７】
まず、無線端末１７０の通信処理部１７３が、第一のＡＰ１１１０Ａに対して無線での接続要求を行う（Ｓ２１４０）。
【０２７８】
このような接続要求を受信した第一のＡＰ１１１０Ａでは、受信した接続要求を正当なものと判断することにより、無線接続を許可する（Ｓ２１４１）。
【０２７９】
第一のＡＰ１１１０Ａからの無線接続の許可を受信した無線端末１７０では、アプリケーション処理部１７４がＳＩＰに従ったＲＥＧＩＳＴＥＲメッセージを生成して、無線部１７８を介して第一のＡＰ１１１０Ａに送信する（Ｓ２１４２）。
【０２８０】
この際、無線端末１７０のユーザ（サイトサーベイを行う者）は入力部１７６を介して予め定められた識別情報（例えば、送出先電話番号、宛先ＩＰアドレス、送信元ＩＰアドレス、発呼元電話番号等）を入力しておくことで、アプリケーション処理部１７４又は通信処理部１７３が当該識別情報をＲＥＧＩＳＴＥＲメッセージのＩＰパケットに含めて、第一のＡＰ１１１０Ａに送信する。
【０２８１】
第一のＡＰ１１１０Ａでは、通信処理部１３１が無線端末１７０から受信したＩＰパケットより予め定められた識別情報を抽出し、番号検査部１３２に出力して、番号検査部１３２が判定を行う（Ｓ２１４３）。
【０２８２】
番号検査部１３２での判定は、通信処理部１３１より入力された識別情報が、記憶部１１５０の識別情報記憶領域１５１に記憶されているか否かで行う。ここで、本シーケンスでは、通信処理部１３１より入力された識別情報が、記憶部１１５０の識別情報記憶領域１５１に記憶されているものとして処理を説明する。
【０２８３】
番号検査部１３２において、通信処理部１３１より入力された識別情報が、記憶部１１５０の識別情報記憶領域１５１に記憶されているものと判定された場合には、ＳＩＰ制御部１１３３がリクエスト成功の応答メッセージである２００ＯＫのメッセージを無線端末１７０に無線部１２０を介して送信する（Ｓ２１４４）。
【０２８４】
２００ＯＫのメッセージを受信した無線端末１７０は、無線端末１７０のユーザが入力部１７６を介して電話番号を入力することにより、アプリケーション処理部１７４がＳＩＰのＩＮＶＩＴＥメッセージを生成して、通信処理部１７３及び無線部１７１を介して、第一のＡＰ１１１０Ａに送信する（Ｓ２１４５）。
【０２８５】
この際、無線端末１７０のユーザは、サイトサーベイを行うために、予め定められた特番を入力部１７６を介して入力するものとする。
【０２８６】
ＩＮＶＩＴＥメッセージを受信した第一のＡＰ１１１０Ａでは、通信処理部１３１がＩＮＶＩＴＥメッセージから電話番号を取得し、番号検査部１３２に出力し、番号検査部１３２で特番判定を行う（Ｓ２１４６）。
【０２８７】
特番判定は、通信処理部１３１より入力された電話番号が、記憶部１１５０の識別情報記憶領域１５１に記憶されている特番に一致するか否かで行う。
【０２８８】
通信処理部１３１より入力された電話番号が、記憶部１１５０の識別情報記憶領域１５１に記憶されている特番に一致する場合には、ＳＩＰ制御部１１３３は、ＩＮＶＩＴＥメッセージの送信元である無線端末１７０にリクエストの受信応答メッセージである１００ＴＲＹＩＮＧメッセージを送信し（Ｓ２１４７）、また、リクエストの処理中であること示すメッセージである１８０ＲＩＮＧＩＮＧメッセージを送信する（Ｓ２１４８）。
【０２８９】
そして、負荷用音送信指示部１１４７は、第二のＡＰ１１１０Ｂに負荷用の音の送信を指示する旨を特定する情報を送信する（Ｓ２１４９）。ここで、本シーケンスでは、当該情報をブロードキャストで送信するものとする。
【０２９０】
このような情報を受信した第二のＡＰ１１１０Ｂでは、負荷用音送信指示部１１４７からＳＩＰ制御部１１３３に通知が行われ、ＳＩＰ制御部１１３３では、負荷用音発生部１１４６で生成した負荷用の音を、パケット化部１３５でＩＰパケットに格納して、無線部１２０を介して架空の無線端末に送信する（Ｓ２１５０）。
【０２９１】
一方、第一のＡＰ１１１０Ａでは、ＳＩＰ制御部１１３３が、送信元の無線端末１７０に対して、呼出信号を送信し（Ｓ２１５１）、応答メッセージである２００ＯＫのメッセージを送信して（Ｓ２１５２）、無線端末１７０との間で音声信号の通信を開始する（Ｓ２１５３）。
【０２９２】
この際、ＳＩＰ制御部１１３３は、ＳＳ用音発生部１３４でサイトサーベイ音を生成させ、また、負荷用音発生部１１４６で負荷用音を生成させて、それぞれパケット化部１３５においてＩＰパケットに格納し、送出パケット記憶領域１１５２に格納してから、読出制御部１１３６がこれらのＩＰパケットを読み出して、無線部１２０を介して、それぞれの宛先に送信する。
【０２９３】
なお、無線端末１７０のユーザがサイトサーベイ音の受信を終了する場合には、入力部１７６を介して終了指示を入力することにより、アプリケーション処理部１７４がＢＹＥメッセージを生成して、第一のＡＰ１１１０Ａに送信する（Ｓ２１５４）。
【０２９４】
これを受けた第一のＡＰ１１１０Ａでは、ＳＩＰ制御部１１３３が、リクエストの成功応答である２００ＯＫメッセージを生成して、無線部１２０を介して無線端末１７０に送信することで、音声通信を終了する（Ｓ２１５５）。
【０２９５】
また、第一のＡＰ１１１０Ａの送信負荷用音送信指示部１１４７では、負荷用音の送信を停止する旨の指示を特定する情報を、第二のＡＰ１１１０Ｂに送信する（Ｓ２１５６）。
【０２９６】
このような指示を受けた第二のＡＰ１１１０Ｂは、送信負荷用音送信指示部１１４７から、ＳＩＰ制御部１１３３に当該指示を通知して、負荷用音の生成及び送信を停止する。
【０２９７】
以上のように、本実施形態によれば、複数のＡＰで通信を行っている場合（他のＡＰにより干渉がある場合）における通信の状況を実際に使用する無線端末を使用して確認することができる。
【０２９８】
また、以上の実施形態において、サイトサーベイ音の周波数を煩雑に切替えるとサイトサーベイ者は判断しにくいので、送信及び受信劣化率としては、例えば１秒程度の周期で算出して、当該受信劣化率に応じた周波数のサイトサーベイ音をＡＰから無線端末に送信するようにしてもよい。
【０２９９】
また、以上の実施形態では、サイトサーベイ音として一定の周波数の音を使用したが、このような態様に限定されず、例えば、音量の大きな音と音量の小さい音とを繰り返して、その大きい音と小さい音の周期の長短でパケットロスの大小を表示しても良い。
【０３００】
以上に記載した実施形態では、制御部における各機能部をソフトウェアにおいて実現することもできるし、例えば、ＡＳＩＣ（Application Specific Integrated Circuit）やＦＰＧＡ（Field Programmable Gate Array）等の集積ロジックＩＣによりハード的に実行されるものであってもよい。
【図面の簡単な説明】
【０３０１】
【図１】第一の実施形態である通信システムの概略図。
【図２】ＡＰの概略図。
【図３】無線端末の概略図。
【図４】通信システムでの処理シーケンスを示すシーケンス図。
【図５】サイトサーベイ音の概略図。
【図６】通信システムでの処理シーケンスを示すシーケンス図。
【図７】第一の実施形態の変形例であるＡＰの概略図。
【図８】第二の実施形態である通信システムに用いられるＡＰの概略図。
【図９】第二の実施形態である通信システムでの処理シーケンスを示すシーケンス図。
【図１０】サイトサーベイ音の概略図。
【図１１】第二の実施形態の第一の変形例であるＡＰの概略図。
【図１２】第二の実施形態の第二の変形例であるＡＰの概略図。
【図１３】本発明の第三の実施形態である通信システムに用いられるＡＰの概略図。
【図１４】第三の実施形態である通信システムの処理シーケンスを示すシーケンス図。
【図１５】第四の実施形態である通信システムに用いられるＡＰの概略図。
【図１６】第四の実施形態である通信システムの処理シーケンスを示すシーケンス図。
【図１７】第四の実施形態の変形例であるＡＰの概略図。
【図１８】第五の実施形態である通信システムの概略図。
【図１９】第一のＡＰの概略図。
【図２０】第五の実施形態である通信システムにおける処理シーケンスを示すシーケンス図。
【図２１】第六の実施形態である通信システムで用いられる第一のＡＰの概略図。
【図２２】第六の実施形態である通信システムでの処理シーケンスを示すシーケンス図。
【図２３】第七の実施形態である通信システムで用いられる第一のＡＰの概略図。
【図２４】第七の実施形態である通信システムでの処理シーケンスを示すシーケンス図。
【符号の説明】
【０３０２】
１００、９００  通信システム
１１０、２１０、３１０、４１０、５１０、６１０、７１０、８１０、９１０、１０１０、１１１０  ＡＰ
１２０  無線部
１３０、２３０、３３０、４３０、５３０、６３０、７３０、８３０、９３０、１０３０、１１３０  制御部
１５０、２５０、１１５０  記憶部
１６０  有線部
１７０  無線端末
１２１、１７８  アンテナ
１３１、９３１、１０３１、１１３１  通信処理部
１３２、９３２  番号検査部
１３３、３３３、４３３、５３３、６３３  ＳＩＰ制御部
１３４、５３９、５４０、６３９、６４０、６４１、６４２  ＳＳ用音発生部
１３５  パケット化部
１５１  識別情報記憶領域
１７１  無線部
１７２  制御部
１７３  通信処理部
１７４  アプリケーション処理部
１７５  記憶部
１７６  入力部
１７７  出力部
１８０  ネットワーク
２３６、１１３６  読出し制御部
２５２  送出パケット記憶領域
３３７、６３７、７３７  通信状況検査部
４３８  無音発生部
７４３  合成音声付きSS用音発生部
８４４  ブラウザ画面生成部
１０４５  ハンドオーバ停止処理部
１１４６  負荷用音発生部
１１４７  負荷用音送信指示部
１１５２  送出パケット記憶領域
【図１】
2008219079.tif 000005
【図２】
2008219079.tif 000006
【図３】
2008219079.tif 000007
【図４】
2008219079.tif 000008
【図５】
2008219079.tif 000009
【図６】
2008219079.tif 000010
【図７】
2008219079.tif 000011
【図８】
2008219079.tif 000012
【図９】
2008219079.tif 000013
【図１０】
2008219079.tif 000014
【図１１】
2008219079.tif 000015
【図１２】
2008219079.tif 000016
【図１３】
2008219079.tif 000017
【図１４】
2008219079.tif 000018
【図１５】
2008219079.tif 000019
【図１６】
2008219079.tif 000020
【図１７】
2008219079.tif 000021
【図１８】
2008219079.tif 000022
【図１９】
2008219079.tif 000023
【図２０】
2008219079.tif 000024
【図２１】
2008219079.tif 000025
【図２２】
2008219079.tif 000026
【図２３】
2008219079.tif 000027
【図２４】
2008219079.tif 000028